(57)【特許請求の範囲】
【請求項１】
交流電源をコンバータ回路により直流電源に変換し、さらにインバータ回路にて任意の交流電源に変換して圧縮機を駆動する空気調和機の駆動回路において、
前記コンバータ回路と前記インバータ回路間に設けられ、前記インバータ回路から前記コンバータ回路へ流入する電流を検出する電流検出素子と、
前記電流検出素子にてほぼリアルタイムに検出された電流に基づいて演算して直流電流値を求め、この直流電流値により交流電力と該交流電力から変換される直流電力との関係から交流電流値を予測し、この交流電流値により空気調和機の運転制御を行う制御回路と、
を備えたことを特徴とする空気調和機の駆動回路。
【請求項２】
前記電流検出素子に抵抗を用いることを特徴とする請求項１に記載の空気調和機の駆動回路。
【請求項３】
前記電流検出素子にて発生する電圧値を任意の周期によってピークホールドし、ピークホールドした値を任意の個数で平均値を計算し、前記インバータ回路の電圧デューティーを考慮して、直流電流値を演算することを特徴とする請求項１に記載の空気調和機の駆動回路。
【請求項４】
前記電流検出素子にてほぼリアルタイムに検出された電流に基づいて演算して求めた直流電流値Ｉｄｃに基づいて交流電流値Ｉａｃを、直流電圧をＶｄｃ、交流電圧をＶａｃ、力率をｃｏｓθ、回路効率をηとして、Ｉａｃ＝Ｉｄｃ×（Ｖｄｃ／（Ｖａｃ×ｃｏｓθ×η））から予測することを特徴とする請求項１に記載の空気調和機の駆動回路。
【請求項５】
前記コンバータ回路の出力側に接続された直流電圧検知部を備え、前記直流電圧Ｖｄｃは前記直流電圧検知部の出力から前記制御回路が認識することを特徴とする請求項４に記載の空気調和機の駆動回路。
【請求項６】
前記交流電圧Ｖａｃを１００Ｖ、２００Ｖといった定格値から選択することを特徴とする請求項４に記載の空気調和機の駆動回路。
【請求項７】
前記力率ｃｏｓθ及び前記回路効率ηは、前記コンバータ回路の特性で決まることを特徴とする請求項４に記載の空気調和機の駆動回路。
【請求項８】
前記インバータ回路以外の回路分の電流値を、前記交流電流値に上乗せして空気調和機の運転制御を行うことを特徴とする請求項１に記載の空気調和機の駆動回路。
【請求項９】
交流駆動回路、直流駆動回路を備え、前記交流駆動回路、直流駆動回路の電流値を前記交流電流値に適時上乗せすることを特徴とする請求項８に記載の空気調和機の駆動回路。
【請求項１０】
前記交流駆動回路、直流駆動回路が動作しているか停止しているかで、補正する値を変更することを特徴とする請求項９に記載の空気調和機の駆動回路。
【請求項１１】
前記コンバータ回路の出力側に接続された直流電圧検知部を備え、交流電圧の整流後の電圧変動を検出し、その電圧値のピークと変動周波数より交流電圧値と周波数を検出することを特徴とする請求項１に記載の空気調和機の駆動回路。
【請求項１２】
前記コンバータ回路に、ダイオードと抵抗を有する交流電圧を半波整流する回路を設け、前記抵抗に発生する電圧値のピークと変動周波数より交流電圧値と周波数を検出することを特徴とする請求項１１に記載の空気調和機の駆動回路。
【請求項１３】
前記交流電流値の上限値と下限値を定め、前記交流電流値が上限値を越えると予測された場合は、前記圧縮機への入力電力を抑えるように前記インバータ回路に指令を行い、前記交流電流値が下限値を下まわると予測された場合は、前記圧縮機への入力電力を上げるように前記インバータ回路に指令を行うことを特徴とする請求項１に記載の空気調和機の駆動回路。
【発明の詳細な説明】
【０００１】
【発明の属する技術分野】
この発明は、交流電源からの電力をコンバータ部で直流に変換し、それをインバータ部で任意の交流に再変換して圧縮機を駆動する空気調和機の駆動回路であって、インバータ部の負荷に対する電流を検出する電流検出素子を備え、またこの電流検出素子で検出された電流によってインバータ部の制御を行う制御部を備えた電気機器の駆動回路に関するものである。この明細書では、空気調和機を例として、説明する。
【０００２】
【従来の技術】
図５は従来の空気調和機の駆動回路を示すブロック図である。図において、１は交流電源、２は交流電源１より得られた交流入力を直流に変換するコンバータ回路、３はコンバータ回路２より得られた直流入力を任意の交流に変換するインバータ回路、４はインバータ回路３によって駆動される圧縮機、５は空気調和機の駆動回路全体、または一部分を制御する制御回路、６はコンバータ回路２から出力される直流電圧値を検出し、制御回路５へ検出値を入力する直流電圧検知部、７は空気調和機の各機構の温度を検出する温度検知部、８ｂはインバータ回路３からコンバータ回路２へ流入する電流により抵抗８ａに発生する電圧を検出して、ある閾値以上になった場合に制御回路５へインバータ回路３の停止指令を送る過電流検出部、９は制御回路５に制御され、交流にて駆動する交流駆動回路、１０は制御回路５に制御され、直流にて駆動する直流駆動回路、１１は交流電源１から駆動回路への全入力交流電流を検出し、制御回路５へ検出値を入力するカレントトランス（以下ＣＴと示す）である。
【０００３】
従来の空気調和機においては、図５に示した駆動回路によって圧縮機を駆動する。交流電源１より得られた交流をコンバータ回路２によって直流に変換し、インバータ回路３によって再度任意の３相交流に変換され、圧縮機４を駆動する。制御回路５ではインバータ回路３の動作を制御する事によって、圧縮機４の回転を制御している。具体的に制御回路５では直流電圧検知部６の値にてインバータ回路３から圧縮機４に入力する電圧を決定し、温度検出部７より得られた空気調和機各部の温度情報によって、圧縮機４の回転数を制御している。
【０００４】
その他に駆動回路上には交流駆動回路９や直流駆動回路１０が装備され、これらはリレーや弁切り替え、ファンモータの駆動を制御回路５からの指令により行っている。そしてＣＴ１１にて前記した全ての回路の電流値を交流電源１直後にて検出し、制御回路５にその検出値を入力している。
【０００５】
図６は空気調和機の駆動回路が接続される交流電源のブロック図である。一般的に空気調和機を駆動する場合、図６に示すように、空気調和機に接続される交流電源１には電流容量が定められており、その容量以上で使用するとブレーカ等の保護装置１２が働き、通電を遮断してしまう。
【０００６】
図７は従来の空気調和機の駆動回路にて、交流電流値の制御を示す図である。空気調和機は過負荷の条件で運転する場合、または空気調和機の最大能力にて運転する場合、保護装置１２の電流容量を越えて運転しないようにするため、ＣＴ１１にて駆動回路の全電流を検出し、制御回路５にてその値を読み込み、図７に示すように電流値が容量を越えてしまうと予測した場合には、全電流の大半を占める圧縮機４の入力電力を抑えるようにインバータ回路３に指令を行う。
【０００７】
また能力を維持するために制御回路５において全電流の下限値を設け、その値以下になる事が予測された場合には、圧縮機４の入力電力を上げる方向でインバータ回路３を制御し、空気調和機の最大能力を交流電源の電流容量範囲内で持続して出力可能にしている。
【０００８】
また、図５の駆動回路においては、空気調和機の過負荷条件での運転では、圧縮機４へより大きな入力電力が必要となるが、インバータ回路３には内部素子を破壊しないために最大定格電流が定められており、圧縮機４についても直流ブラシレスモータを内部に使用する場合には過電流による磁力低下を避けるための保護が必要となる。よってこれらを保護するためにインバータ回路３とコンバータ回路２の間に抵抗８ａを設けて、インバータ回路３からコンバータ回路２へ電流が流れる際に抵抗８ａに発生する電圧を過電流検出部８ｂにて検出し、ある閾値以上の値を検出すると制御回路５に対しインバータ回路３を停止させる保護機構を設けている。
【０００９】
従来の空気調和機の駆動回路は前記したように、空気調和機は接続される交流電源１の電流容量範囲内で運転する必要があるため、駆動回路内にＣＴ１１などの交流電流値を検出するための回路を設ける必要がある。また、インバータ回路３または圧縮機４を過負荷時の電流から保護するため、抵抗８ａなどの電流検出部を設ける必要がある。よって、従来の空気調和機の駆動回路には交流電流を検出する回路とインバータ回路の電流を検出する回路の２つの電流検出回路が必要であった。
【００１０】
しかし、空気調和機の駆動回路の全電流はほとんどがインバータ回路３（圧縮機４）の電流であり、全電流とインバータ回路３の電流にはほぼ比例の関係がある。よって、２つある電流検出をどちらか１つに機能を集約し、もう一方の回路を削除することが可能である。
【００１１】
前記の２つある電流検出をどちらか１つに機能を集約したインバータ装置が、実開平６−３１３４１号公報に開示されている。これは、インバータ−コンバータ間に設けた電流検出回路で、過負荷時の電流値を検出し、ある値以上と判断した場合、圧縮機の入力電力を下げる機能とインバータの過負荷電流に対する保護機能を同時に有したものである。
【００１２】
実開平６−３１３４１号公報に開示されているインバータ装置において、交流電源の全電流検出については、前述したように全電流とインバータの電流の比例関係から、全電流が保護装置の容量になる時のインバータの電流値を確認し、その値にて比較器等を用いて閾値を設け、その閾値をインバータの電流が何回越えるかをカウントし、カウント数がある回数以上になった場合にインバータに圧縮機の入力電力を下げる指令を出して、空気調和機が交流電源の電流容量内で運転することを実現している。
【００１３】
【発明が解決しようとする課題】
しかし、実開平６−３１３４１号公報に開示されているインバータ装置では、圧縮機とそれを駆動する回路の組み合わせごとに比較器の閾値を調整する必要が発生する。図８は圧縮機の違いによる電流の流れ方の違いを示す図である。図８に示すように種類の違う圧縮機（例えば巻き線の巻数）にて比較器の閾値に同じ値を設定した場合、交流電源の電流値は同じでも、圧縮機の電流の流れ方（同じ電圧を印加した場合の流れやすさ）が変わるので、閾値を越えるものとそうでないものが存在してしまうことになり、空気調和機の製品仕様ごとに設計・評価負荷が発生してしまう。
【００１４】
さらに、実開平６−３１３４１号公報に開示されているインバータ装置では、インバータの電流が比較器の閾値をある回数越えた場合に、インバータに対し圧縮機の入力電力を下げる指令を出すが、図９に示すように、閾値を越えた回数のみで行っているので、回転数を下げた場合、インバータの電流値（交流電源の電流値）の低下レベルが把握できない。従って、空気調和機の能力を一定に持続したい場合でも、交流電源の電流値にムラが生じやすく、能力維持が困難になりやすい。
【００１５】
この発明は、上記のような問題点を解決するためになされたもので、コンバータ回路とインバータ回路間に設けられた電流検出素子より検出された電流値を制御回路にて演算して交流電源電流値を検出することにより、交流電源側に必要だったＣＴを省き、機能・性能を維持し、安価な電気機器の駆動回路及び空気調和機の駆動回路を提供することを目的とする。
【００１６】
【課題を解決するための手段】
この発明に係る空気調和機の駆動回路は、交流電源をコンバータ回路により直流電源に変換し、さらにインバータ回路にて任意の交流電源に変換して圧縮機を駆動する空気調和機の駆動回路において、コンバータ回路とインバータ回路間に設けられ、インバータ回路からコンバータ回路へ流入する電流を検出する電流検出素子コンバータ回路とインバータ回路間に設けられた電流検出素子と、電流検出素子にてほぼリアルタイムに検出された電流に基づいて演算して直流電流値を求め、この直流電流値により交流電力と交流電力から変換される直流電力との関係から交流電流値を予測し、この交流電流値により空気調和機の運転制御を行う制御回路と、を備えたことを特徴とする。
【００１７】
また、この発明に係る空気調和機の駆動回路は、電流検出素子に抵抗を用いることを特徴とする。
【００１８】
また、この発明に係る空気調和機の駆動回路は、電流検出素子にて発生する電圧値を任意の周期によってピークホールドし、ピークホールドした値を任意の個数で平均値を計算し、インバータ回路の電圧デューティーを考慮して、直流電流値を演算することを特徴とする。
【００１９】
また、この発明に係る空気調和機の駆動回路は、電流検出素子にてほぼリアルタイムに検出された電流に基づいて演算して求めた直流電流値Ｉｄｃに基づいて交流電流値Ｉａｃを、直流電圧をＶｄｃ、交流電圧をＶａｃ、力率をｃｏｓθ、回路効率をηとして、Ｉａｃ＝Ｉｄｃ×（Ｖｄｃ／（Ｖａｃ×ｃｏｓθ×η））から予測することを特徴とする。
【００２０】
また、この発明に係る空気調和機の駆動回路は、コンバータ回路の出力側に接続された直流電圧検知部を備え、直流電圧Ｖｄｃは直流電圧検知部の出力から制御回路が認識することを特徴とする。
【００２１】
また、この発明に係る空気調和機の駆動回路は、交流電圧Ｖａｃを１００Ｖ、２００Ｖといった定格値から選択することを特徴とする。
【００２２】
また、この発明に係る空気調和機の駆動回路は、力率ｃｏｓθ及び回路効率ηは、コンバータ回路の特性で決まることを特徴とする。
【００２３】
また、この発明に係る空気調和機の駆動回路は、インバータ回路以外の回路分の電流値を、交流電流値に上乗せして空気調和機の運転制御を行うことを特徴とする。
【００２４】
また、この発明に係る空気調和機の駆動回路は、交流駆動回路、直流駆動回路を備え、交流駆動回路、直流駆動回路の電流値を交流電流値に適時上乗せすることを特徴とする。
【００２５】
また、この発明に係る空気調和機の駆動回路は、交流駆動回路、直流駆動回路が動作しているか停止しているかで、補正する値を変更することを特徴とする。
【００２６】
また、この発明に係る空気調和機の駆動回路は、コンバータ回路の出力側に接続された直流電圧検知部を備え、交流電圧の整流後の電圧変動を検出し、その電圧値のピークと変動周波数より交流電圧値と周波数を検出することを特徴とする。
【００２７】
また、この発明に係る空気調和機の駆動回路は、コンバータ回路に、ダイオードと抵抗を有する交流電圧を半波整流する回路を設け、抵抗に発生する電圧値のピークと変動周波数より交流電圧値と周波数を検出することを特徴とする。
【００２８】
また、この発明に係る空気調和機の駆動回路は、交流電流値の上限値と下限値を定め、交流電流値が上限値を越えると予測された場合は、圧縮機への入力電力を抑えるようにインバータ回路に指令を行い、交流電流値が下限値を下まわると予測された場合は、圧縮機への入力電力を上げるようにインバータ回路に指令を行うことを特徴とする。
【００２９】
【発明の実施の形態】
実施の形態１．
以下、この発明の実施の形態の一例を図面に基づいて説明する。ここでは、電気機器として空気調和機を例に説明するが、この発明は空気調和機に限定されるものではなく、電気機器の全電流の大半をインバータで駆動されるインバータ負荷が占めるものであれば、含まれる。
【００３０】
図１〜４は実施の形態１を示す図で、図１は空気調和機の駆動回路のブロック図、図２は空気調和機の駆動回路において、制御回路内で行われる処理を示す図、図３は空気調和機の駆動回路において、制御回路内で行われる処理のイメージを示す図、図４は空気調和機の駆動回路において、交流電源電圧の検出回路を示す図である。
【００３１】
図１において、１は交流電源、２は交流電源１より得られた交流入力を直流に変換するコンバータ回路、３はコンバータ回路２より得られた直流入力を任意の交流に変換するインバータ回路、４はインバータ回路３によって駆動される圧縮機、５は空気調和機の駆動回路全体、または一部分を制御する制御回路、６はコンバータ回路２から出力される直流電圧値を検出し、制御回路５へ検出値を入力する直流電圧検知部、７は空気調和機の各機構の温度を検出する温度検知部、８ｂはインバータ回路３からコンバータ回路２へ流入する電流により抵抗８ａに発生する電圧を検出して、ある閾値以上になった場合に制御回路５へインバータ回路３の停止指令を送る過電流検出部、９は制御回路５に制御され、交流にて駆動する交流駆動回路、１０は制御回路５に制御され、直流にて駆動する直流駆動回路である。
【００３２】
図１の空気調和機の駆動回路は、従来の駆動回路にくらべ、交流電源１とコンバータ回路２の間にあったＣＴ１１を削除し、従来の駆動回路にも存在した抵抗８ａに流れる電流により発生する電圧を過電流検出部８ｂ以前で制御回路５にて検出（ここで検出される値を、以下インバータ電流値と呼ぶ）する構成となっている。
【００３３】
インバータ電流値検出後、制御回路５内で行われる処理を図２に、処理のイメージを図３に示す。図３は処理の推移として上から下へ進むように記載している。
【００３４】
図３よりインバータ電流値を検出した直後の電流波形は、（ａ）のようにインバータキャリアによって電流が流れている区間とそうでない区間が存在し、短冊状になっている。そこで制御回路５内では（ｂ）でインバータキャリア周期のｎ回毎（例えば毎回）にてキャリアＯＮ（電流が流れている）時の電流値を検出し、そのデータを制御回路５内のバッファ（以下バッファａとする）にてｍ個（たとえば４個）ホールドする。このバッファａ内のデータは常に更新され、その時の最新検出データを保持している。
【００３５】
バッファａにて保持されたデータは、（ｃ）であるタイミング（例えばインバータ回路の通電相切り替え時等）でバッファａ内のデータを比較し、データ内の最大値からｋ番目（例えば２番目）に大きい値を選択し、制御回路５内の別バッファ（以下バッファｂとする）にそのデータを抽出する。
【００３６】
前記のように（ａ）から（ｃ）の処理を繰り返し、バッファｂ内にデータがｘ個抽出されると、制御回路５内にて（ｄ）でｘ個データの平均値を計算する。さらにその平均値にインバータデューティーの補正計算を行う。
【００３７】
以上の処理を行う事により、抵抗８ａにて検出したインバータ電流値を直流電流値に変換する。空気調和機の駆動回路は交流を直流に変換する回路であるので、交流電圧をＶａｃ、交流電流をＩａｃ、力率をｃｏｓθ、直流電圧をＶｄｃ、直流電流をＩｄｃ、回路効率をηとすると、
Ｉａｃ＝Ｉｄｃ×（Ｖｄｃ／（Ｖａｃ×ｃｏｓθ×η））    （１）
の関係が成り立つ。ここで、図１より、Ｖｄｃは直流電圧検知部６にて値を制御回路５にて認識が可能であり、Ｖａｃについても１００Ｖ、２００Ｖといった定格値を選択し、ｃｏｓθやηについてもコンバータ回路２の特性等で決まるので、これら値を使って制御回路５内にて計算する事で、交流電流Ｉａｃを予測することができる。
【００３８】
また、（１）式の精度を上げるため、図４のように交流電圧Ｖａｃの値をより正確に検出するための回路を追加することにより、交流電圧の変動を考慮した計算が可能となる。
【００３９】
図４のそれぞれの検出方法は、（ａ）は従来の直流電圧検知部を利用し、交流電圧の整流後の電圧変動を検出し、その電圧値のピークと変動周波数より交流電圧値と周波数を検出するものである。
（ｂ）はコンバータ回路上にダイオードと抵抗器を追加し交流電圧を半波整流する回路を設け、抵抗器に発生する電圧値より（ａ）同様電圧値のピークと周波数より交流電圧値と周波数を検出するものである。
【００４０】
また、本発明の空気調和機の駆動回路は、コンバータ回路−インバータ回路間に設けられた電流検出素子である抵抗８ａにて検出された電流値に基づき、（１）式の理論から交流電流を検出することを特徴としているが、図１に示すように、交流電源１から電流が流れる経路は、インバータ回路３以外に交流駆動回路９、直流駆動回路１０があり、本発明の駆動回路ではこれら回路の電流が検出できない。しかし、交流駆動回路９と直流駆動回路１０の電流はインバータ回路３の電流に比べ、比較的小さいので、検出精度の補正を行うため、交流駆動回路９と直流駆動回路１０の電流値を電流検出素子にて検出された電流値に対し、適時上乗せする補正を制御回路で行うようにする。この適時とは、制御回路５は交流駆動回路９と直流駆動回路１０の動作を把握する事が出来るので、これら回路が動作しているか停止しているかで、補正する値を変更する事である。
【００４１】
以上に説明したように、本発明の空気調和機の駆動回路は、コンバータ回路−インバータ回路間に設けられた電流検出素子にて検出された電流値に基づき、交流電源電流を検出可能であるため、交流電源１から駆動回路への全入力交流電流を検出するカレントトランスを省いても図７に示す従来のような交流電流値のコントロールも行うことができる。
【００４２】
【発明の効果】
この発明に係る空気調和機の駆動回路は、コンバータ回路と前記インバータ回路間に設けられ、インバータ回路からコンバータ回路へ流入する電流を検出する電流検出素子にて、ほぼリアルタイムに検出された電流に基づいて演算して直流電流値を求め、この直流電流値により交流電力と交流電力から変換される直流電力との関係から交流電流値を予測し、この交流電流値により空気調和機の運転制御を行うことにより、交流電源側に交流電流値を検出する手段を設けなくても交流電流値を検出することが可能となり、機能・性能を維持し、安価な空気調和機の駆動回路を実現できる。
【００４３】
また、この発明に係る空気調和機の駆動回路は、電流検出素子に抵抗を用いることにより、機能・性能を維持し、安価な空気調和機の駆動回路を実現できる。
【００４４】
また、この発明に係る空気調和機の駆動回路は、電流検出素子にて発生する電圧値を任意の周期によってピークホールドし、ピークホールドした値を任意の個数で平均値を計算し、インバータ回路の電圧デューティーを考慮して、直流電流値を演算することにより、機能・性能を維持し、安価な空気調和機の駆動回路を実現できる。
【００４５】
また、この発明に係る空気調和機の駆動回路は、電流検出素子にてほぼリアルタイムに検出された電流に基づいて演算して求めた直流電流値Ｉｄｃに基づいて交流電流値Ｉａｃを、直流電圧をＶｄｃ、交流電圧をＶａｃ、力率をｃｏｓθ、回路効率をηとして、Ｉａｃ＝Ｉｄｃ×（Ｖｄｃ／（Ｖａｃ×ｃｏｓθ×η））から予測することにより、機能・性能を維持し、安価な空気調和機の駆動回路を実現できる。
【００４６】
また、この発明に係る空気調和機の駆動回路は、コンバータ回路の出力側に接続された直流電圧検知部を備え、直流電圧Ｖｄｃは直流電圧検知部の出力から制御回路が認識することにより、機能・性能を維持し、安価な空気調和機の駆動回路を実現できる。
【００４７】
また、この発明に係る空気調和機の駆動回路は、交流電圧Ｖａｃを１００Ｖ、２００Ｖといった定格値から選択することにより、機能・性能を維持し、安価な空気調和機の駆動回路を実現できる。
【００４８】
また、この発明に係る空気調和機の駆動回路は、力率ｃｏｓθ及び回路効率ηは、コンバータ回路の特性で決まることにより、機能・性能を維持し、安価な空気調和機の駆動回路を実現できる。
【００４９】
また、この発明に係る空気調和機の駆動回路は、インバータ回路以外の回路分の電流値を、交流電流値に上乗せして空気調和機の運転制御を行うことにより、交流電流の検出精度を向上させることができる。
【００５０】
また、この発明に係る空気調和機の駆動回路は、交流駆動回路、直流駆動回路を備え、交流駆動回路、直流駆動回路の電流値を交流電流値に適時上乗せすることにより、交流電流の検出精度を向上させることができる。
【００５１】
また、この発明に係る空気調和機の駆動回路は、交流駆動回路、直流駆動回路が動作しているか停止しているかで、補正する値を変更することにより、交流電流の検出精度を向上させることができる。
【００５２】
また、この発明に係る空気調和機の駆動回路は、コンバータ回路の出力側に接続された直流電圧検知部を備え、交流電圧の整流後の電圧変動を検出し、その電圧値のピークと変動周波数より交流電圧値と周波数を検出することにより、交流電源電圧が変動しても、精度よく演算する事ができるので、外乱要因に対する検出精度補償が実現できる。
【００５３】
また、この発明に係る空気調和機の駆動回路は、コンバータ回路に、ダイオードと抵抗を有する交流電圧を半波整流する回路を設け、抵抗に発生する電圧値のピークと変動周波数より交流電圧値と周波数を検出することにより、交流電源電圧が変動しても、精度よく演算する事ができるので、外乱要因に対する検出精度補償が実現できる。
【００５４】
また、この発明に係る空気調和機の駆動回路は、交流電流値の上限値と下限値を定め、交流電流値が上限値を越えると予測された場合は、圧縮機への入力電力を抑えるようにインバータ回路に指令を行い、交流電流値が下限値を下まわると予測された場合は、圧縮機への入力電力を上げるようにインバータ回路に指令を行うことにより、交流電流が検出可能となるので、回路上の検出部位にとらわれることなく従来と同様の制御が可能となり。検出精度も大電流から小電流まで幅広く補償可能であるため、空気調和機の出力能力維持が従来と同等に実現できる。
【図面の簡単な説明】
【図１】  実施の形態１を示す図で、空気調和機の駆動回路のブロック図である。
【図２】  実施の形態１を示す図で、空気調和機の駆動回路において、制御回路内で行われる処理を示す図である。
【図３】  実施の形態１を示す図で、空気調和機の駆動回路において、制御回路内で行われる処理のイメージを示す図である。
【図４】  実施の形態１を示す図で、空気調和機の駆動回路において、交流電源電圧の検出回路を示す図である。
【図５】  従来の空気調和機の駆動回路を示すブロック図である。
【図６】  空気調和機の駆動回路が接続される交流電源のブロック図である。
【図７】  従来の空気調和機の駆動回路にて、交流電流値の制御を示す図である。
【図８】  圧縮機の違いによる電流の流れ方の違いを示す図である。
【図９】  従来の空気調和機の駆動回路で、閾値越えた回数をカウントする保護を用いた場合の交流電流値の制御を示す図である。
【符号の説明】
１  交流電源、２  コンバータ回路、３  インバータ回路、４  圧縮機、５  制御回路、６  直流電圧検知部、７  温度検知部、８ａ  抵抗、８ｂ  過電流検出部、９  交流駆動回路、１０  直流駆動回路、１２  保護装置。
【図１】
0003866120.tif 000002
【図２】
0003866120.tif 000003
【図３】
0003866120.tif 000004
【図４】
0003866120.tif 000005
【図５】
0003866120.tif 000006
【図６】
0003866120.tif 000007
【図７】
0003866120.tif 000008
【図８】
0003866120.tif 000009
【図９】
0003866120.tif 000010